【手続補正書】
【提出日】平成23年7月7日(2011.7.7)
【手続補正１】
【補正対象書類名】特許請求の範囲
【補正対象項目名】全文
【補正方法】変更
【補正の内容】
【特許請求の範囲】
【請求項１】
在圏セルに関連する在圏基地局（１８，１９）からＣＳＧ（クローズド加入者グループ）基地局によりサービスが提供されるＣＳＧセルへの無線端末接続のハンドオーバに関する方法であって、前記ＣＳＧに属する無線端末（２０）のみが前記ＣＳＧセルからのサービスにアクセスして受信することを許可されており、前記ＣＳＧ基地局により送信された信号の信号品質測定値を前記在圏基地局へ報告すべきでない無線端末を識別する情報が前記在圏セル内の無線端末へ提供されており、
前記方法は前記在圏基地局において実装されており、
前記在圏セル内の無線端末の一つが前記ＣＳＧセルからのサービスにアクセスして受信することを認可されていることを判定する工程と、
前記ＣＳＧセルが前記無線端末についてのハンドオーバ候補とみなされ得ることを示すメッセージを前記一つの無線端末へ送信する工程と、
前記ＣＳＧ基地局に対応する信号品質測定値報告に基づいて、前記一つの無線端末との接続が前記ＣＳＧ基地局へハンドオーバ可能であることを判定する工程と、
前記ＣＳＧ基地局への前記接続のハンドオーバを促進する工程と
を有することを特徴とする方法。
【請求項２】
前記ＣＳＧ基地局により送信された信号の信号品質測定値を前記在圏基地局へ報告しないための前記情報は前記在圏セル内で同報され、前記情報が報告されるべきでないセルを識別するリスト又は前記情報が報告されるべきセルのみを識別するセルのリストを含むことを特徴とする請求項１に記載の方法。
【請求項３】
前記ＣＳＧセルが禁止セルであることを示す第１メッセージを用いて無線端末は前記ＣＳＧ基地局により送信された信号の信号品質測定値を前記在圏基地局へ報告しないことを通知され、
前記送信する工程は、前記ＣＳＧ基地局により送信された信号の信号品質測定値を前記無線端末が報告すべきことを示す後続する第２メッセージを前記無線端末へ送信する工程を含む
ことを特徴とする請求項１に記載の方法。
【請求項４】
前記判定する工程は、前記在圏基地局に結合された中央ノード（７０）から、前記無線端末が前記ＣＳＧセルからのサービスにアクセスして取得することを認可されていることを示すＣＳＧセルの認可リストを受信する工程を含むことを特徴とする請求項１に記載の方法。
【請求項５】
前記ＣＳＧセルは前記無線端末がアクセスしてサービスを要求することを認可されているＣＳＧセルのＣＳＧネットワークの一部であり、各ＣＳＧネットワーク・セルは関連するセル識別子を有しており、
前記判定する工程は、前記在圏基地局に結合された中央ノードからＣＳＧセル識別子の範囲を受信する工程を含む
ことを特徴とする請求項１に記載の方法。
【請求項６】
在圏セルに関連する在圏基地局からＣＳＧ（クローズド加入者グループ）基地局によりサービスが提供されるＣＳＧセルへの無線端末接続のハンドオーバを支援する在圏基地局（１８，１９）であって、前記ＣＳＧに属する無線端末（２０）のみが前記ＣＳＧセルからのサービスにアクセスして受信することを許可されており、前記ＣＳＧ基地局により送信された信号の信号品質測定値を前記在圏基地局へ報告すべきでない無線端末を識別する情報が前記在圏セル内の無線端末へ提供されており、
前記在圏基地局（１８，１９）は、
無線送受信回路（３２）と、
前記在圏セル内の無線端末の一つが前記ＣＳＧセルからのサービスにアクセスして受信することを認可されていることを判定し、
前記ＣＳＧセルが前記無線端末についてのハンドオーバ候補とみなされ得ることを示すメッセージを前記一つの無線端末へ送信し、
前記ＣＳＧ基地局についての信号品質測定値報告に基づいて、前記一つの無線端末との接続が前記ＣＳＧ基地局へハンドオーバ可能であることを判定し、
前記ＣＳＧ基地局への前記接続のハンドオーバを促進する
ように構成された電子回路を含むデータ処理システム（３４）と
を備えることを特徴とする在圏基地局（１８，１９）。
【請求項７】
前記無線送受信回路は、前記ＣＳＧ基地局により送信された信号の信号品質測定値を前記在圏基地局へ報告しないための前記情報を前記在圏セル内に同報し、前記情報が報告されるべきでないセルを識別するリスト又は前記情報が報告されるべきセルのみを識別するセルのリストを含めることを特徴とする請求項６に記載の在圏基地局。
【請求項８】
前記ＣＳＧセルが一般アクセスに対して禁止セルであることを示す第１メッセージを用いて無線端末は前記ＣＳＧ基地局により送信された信号の信号品質測定値を前記在圏基地局へ報告しないことを通知されており、
前記電子回路は、前記ＣＳＧ基地局により送信された信号の信号品質測定値を前記無線端末が報告すべきことを示すとともに、前記無線端末へ前記無線送受信回路を介して送信される後続する第２メッセージを生成するように構成された
ことを特徴とする請求項６に記載の在圏基地局。
【請求項９】
前記電子回路は、前記在圏基地局に結合された中央ノードから、前記無線端末が前記ＣＳＧセルからのサービスにアクセスして取得することを認可されていることを示すＣＳＧセルの認可リストを受信するように構成されたことを特徴とする請求項６に記載の在圏基地局。
【請求項１０】
前記ＣＳＧセルは前記無線端末がアクセスしてサービスを要求することを認可されているＣＳＧセルのＣＳＧネットワークの一部であり、各ＣＳＧネットワーク・セルは関連するセル識別子を有しており、
前記電子回路は、前記在圏基地局に結合された中央ノードからＣＳＧセル識別子の範囲を受信し、前記無線端末のセル識別子が前記受信されたＣＳＧセル識別子の範囲内かを調べ、範囲内の場合に前記ＣＳＧネットワーク内のすべてのＣＳＧセルからのサービスにアクセスして受信することを前記無線端末に認可するように構成された
ことを特徴とする請求項６に記載の在圏基地局。
【請求項１１】
前記電子回路は、前記無線端末についての以前の在圏基地局からのハンドオーバの間にＣＳＧセルの認可リストを受信するように構成され、
前記ＣＳＧセルの認可リストは、前記無線端末が前記ＣＳＧセルからのサービスにアクセスして取得することを認可されていることを示す
ことを特徴とする請求項６に記載の在圏基地局。
【請求項１２】
在圏セルに関連する在圏基地局（１８，１９）と通信する無線端末（２０）であって、前記無線端末はＣＳＧ（クローズド加入者グループ）基地局によりサービスが提供されるＣＳＧセルに属しており、前記ＣＳＧに属する無線端末のみが前記ＣＳＧセルからのサービスにアクセスして受信することを許可されており、
前記無線端末（２０）は、
無線送受信回路（６０）と、
ＣＳＧ基地局によって送信された信号の信号品質測定値を前記在圏基地局へ報告しないことを前記無線端末に知らせる第１情報を受信し、
ＣＳＧ基地局以外の隣接基地局によって送信された信号の品質測定値を取得するとともに、取り得るハンドオーバ動作のために前記在圏基地局へ前記信号の品質測定値を報告し、
前記第１情報を無効にし、且つ前記ＣＳＧ基地局によって送信された信号の信号品質測定値を前記在圏基地局へ報告することを前記無線端末に知らせる第２情報を受信し、
前記ＣＳＧ基地局によって送信された信号の信号品質を測定するとともに、前記ＣＳＧ基地局の信号品質測定値を前記在圏基地局へ報告する
ように構成された電子回路を含む、前記無線送受信回路に結合されたデータ処理システム（６２）と
を備えることを特徴とする無線端末（２０）。
【請求項１３】
前記第２情報はＣＳＧセル識別子の範囲を含み、前記電子回路は、前記範囲内のセル識別子を有する任意のＣＳＧ基地局によって受信された信号の信号品質を測定するとともに、前記ＣＳＧ基地局の信号品質測定値を前記在圏基地局へ報告するように構成されたことを特徴とする請求項１２に記載の無線端末。
【請求項１４】
前記無線端末が在圏基地局からのサービスを取得又は維持できない場合に、任意の近隣ＣＳＧ基地局により受信された信号の信号品質をスキャンし、サービスを提供する近隣ＣＳＧ基地局を選択するように前記電子回路が構成され、
認可ＣＳＧ基地局は非認可ＣＳＧ基地局よりも高い選択優先度を有する
ことを特徴とする請求項１２に記載の無線端末。
【請求項１５】
中央ノード（７０）であって、
在圏セルにサービスを提供する在圏基地局（１８，１９）と通信するとともに、ＣＳＧ（クローズド加入者グループ）に属する無線端末（２０）のみがＣＳＧセルからのサービスにアクセスして受信することを許される前記ＣＳＧセルにサービスを提供するＣＳＧ基地局と通信するインタフェース（７６）と、
複数の無線端末のそれぞれについて前記無線端末がサービスにアクセスして受信することを認可されたすべてのＣＳＧセルを識別するＣＳＧ認可リストを記憶するメモリ（７４）と、
前記無線端末がアクセスすることを認可されたＣＳＧセルを前記ＣＳＧ認可リストが含む場合に前記在圏セル内の一つの無線端末にサービスを提供する在圏基地局へＣＳＧ認可リストを提供するとともに、それ以外の場合に前記在圏基地局へ前記ＣＳＧ認可リストを提供しないように構成されたコントローラ（７８）と
を備えることを特徴とする中央ノード（７０）。
【請求項１６】
前記コントローラは、前記在圏セルに隣接し且つ前記無線端末がアクセスすることを認可されたＣＳＧセルのみを前記ＣＳＧ認可リストに含めるように構成されたことを特徴とする請求項１５に記載の中央ノード。